(57)【要約】【課題】  従来の手提げ孔付米袋は、ラミネートフィルムからなるシートに手提げ孔を加工しただけのものであり、手提げしたときに５ｋｇ〜１０ｋｇもある米の重量により発生する応力を４本の手指で支えるため手提げ孔部が変形し、手提げ孔の上部周縁における人差し指と小指近辺に集中し、その部分が延びて変形し易く、フィルムに亀裂が入って裂けやすくなる問題があった。【解決手段】  米袋１を構成する前パネル２と後パネル３の間に、その前後のパネル２，３に設けられた共通の第一の手提げ孔４，５を塞ぐ大きさに切断された補強シート６を挟み込み、補強シート６のほぼ全域にわたりシールを行って前後のパネル２，３と補強シート６を一体化させ、かつその補強シート６に前後のパネル２，３に設けられた第一の手提げ孔４，５よりも小さく形成された第二の手提げ孔７を前後のパネルの手提げ孔４，５の内側に配置して設けた。【選択図】 図１
2008308214.tif 000002
【特許請求の範囲】
【請求項１】
プラスチック製ラミネートフィルムからなり、かつ袋を構成する前パネルと後パネルに共通の第一の手提げ孔が形成された袋であって、
前パネルと後パネルとの間に、ポリエチレン製フィルム又は不織布シートからなる補強シートが第一の手提げ孔を塞ぐ大きさに切断されて挿入されており、
その補強シートには第一の手提げ孔よりも小さな第二の手提げ孔が形成されるとともに、第一の手提げ孔の内側に配置され、
第一の手提げ孔の外側において、補強シートのほぼ全域にわたってシールが行われることにより補強シートが前パネルと後パネルの間に融着されていることを特徴とする手提げ孔付米袋。
【請求項２】
前パネルと後パネルに形成された第一の手提げ孔の内周の上縁と、補強シートに形成された第二の手提げ孔の内周の上縁との距離が５ないし２０ｍｍ離れるように手提げ孔が手提げ孔よりも小さく形成されて配置されている請求項１記載の手提げ孔付米袋。
【請求項３】
補強シートのほぼ全域にわたって複数列の直線状、あるいは曲線状に形成されたシールまたは全面にベタシールがが行われることにより補強シートが前パネルと後パネルの間に一体的に融着されている請求項１記載の手提げ孔付米袋。
【発明の詳細な説明】
【技術分野】
【０００１】
この発明は、手提げ孔が設けられたラミネートフィルム製の米袋において、袋の前後面を形成する前パネルと後パネルの間に、ポリエチレン製フィルム又は不織布シートからなる補強シートを挟み込むことによって、手提げ孔部における強度を向上させるとともに、手触りを優しくした手提げ孔付き米袋に関する。
【背景技術】
【０００２】
一般的な米袋の材質は、プラスチック製ラミネートフィルムが主流であり、スーパーマーケットや米販売店で購入して持ち帰るために、手提げ用の孔が設けられたものがある。
ラミネートフィルム製で手提げ孔が設けられた米袋の一例として、特許３４８７３１７号の公報に記載されたものが知られている。
【特許文献１】特許３４８７３１７号公報
【発明の開示】
【発明が解決しようとする課題】
【０００３】
前記特許３４８７３１７号公報に記載された米袋５１は、ラミネートフィルムからなり、図７に示すように前パネル５２と後パネル５３の一端に把手５４が形成され、口元シール５５と把手シール５６の間に手提げ孔５７が設けられている。この米袋５１は、手提げ孔５７が設けられているので手提げして持ち帰ることができる。しかし、この米袋５１の手提げ部は、手提げしたときに５ｋｇ〜１０ｋｇもある米の重量により発生する応力を手指で支えるため図８に示すように手提げ孔５７が変形し、手提げ孔５７の上部周縁における手指の人差し指近辺のＸ部及び小指近辺のＹ部に集中するため、その部分が延びて変形し易く、フィルムに亀裂Ｚが入って裂けやすくなる欠点があった。
【０００４】
また、上記手提げ孔５７周辺のフィルムが延びることを防止するために、図９に示すように手提げ孔５７の周囲を５〜１０ｍｍ幅で熱シールして強化する方法も試みられているが、フィルムが熱シールされるとその熱シール部分５８が硬化するため、重い米袋を手提げして歩くときに熱シール部分５８が手指に直接強く当たり、痛くなることがあった。
【０００５】
この発明は、上述の課題を解決するためになされたもので、その目的は、米が充填された重い袋を手提げして歩いても、手提げ孔部の変形が少なく強度に優れ、しかも手に優しく痛くならない米袋を提供することにある。
【課題を解決するための手段】
【０００６】
上記目的を達成するために、米が充填された袋を持ち下げた時に作用する力を一ヶ所又は二ヶ所に集中させず、手提げ部分全体に分散させるための補強シートを袋の前パネルと後パネルの間に挟み込み、補強シートのほぼ全域にわたり熱シールして前パネルと後パネルに一体的に融着させ、かつその補強シートには前パネルと後パネルに設けられた手提げ孔よりも小さく形成された手提げ孔を設けたことを特徴とするものである。
さらに具体的には、
プラスチック製ラミネートフィルムからなり、かつ袋を構成する前パネルと後パネルに共通の第一の手提げ孔が形成された米袋であって、
前パネルと後パネルとの間に、ポリエチレン製フィルム又は不織布シートからなる補強シートが第一の手提げ孔を塞ぐ大きさに切断されて挿入されており、
その補強シートには第一の手提げ孔よりも小さな第二の手提げ孔が形成され、その手提げ孔は第一の手提げ孔の内側に配置され、
第一の手提げ孔の外側において、補強シートのほぼ全域にわたって複数列の直線状あるいは曲線状のシール又は全面にベタシールがが行われることにより補強シートが前パネルと後パネルの間に一体的に融着されていることを特徴とする手提げ孔付米袋である。
また、前パネルと後パネルに形成された第一の手提げ孔の内周の上縁部と、補強シートに形成された第二の手提げ孔の内周の上縁部との距離が５ないし２０ｍｍ程度離れるように第二の手提げ孔が第一の手提げ孔よりも小さく形成されて配置されていることを特徴とする手提げ孔付米袋である。
前パネルと後パネルに形成された第一の手提げ孔の外側において、補強シートのほぼ全域にわたって直線状又は曲線状に形成された複数列のシール線を有する熱シール、あるいは補強シートのほぼ全域にわたってベタシールが行わが行われて補強シートが前パネルと後パネルの間に一体的に融着されていることを特徴とする手提げ孔付米袋である。
【発明の効果】
【０００７】
上記の構成とすることにより、米が充填された袋の手提げ孔に手を挿入して持ち下げた時、補強シートの手提げ孔の内周の上縁部は掌と反対側、即ち指先側へＬ字状に折れ曲がって手指に当たることとなる。この時、前パネルと後パネルの手提げ孔の上縁には米の重量による応力は直接作用しないため手提げ孔の内周の上縁部のいずれも手指あるいは掌に強く当たらない。
補強シートが前後のパネルの間に介在することにより、米の重量による応力は補強シートを熱シールした全体に分散し、パネルの手提げ孔の人差し指側と小指側の二ヶ所に集中しない。よって手提げ孔部の破損を防ぐ米袋となる。
補強シートの手提げ孔を前後のパネルの手提げ孔よりも５ｍｍないし２０ｍｍ小さく形成することにより、補強シートが折れ曲がって手の指腹に所定の幅を持って接触することにより手に優しい米袋とすることができる。
【発明を実施するための最良の形態】
【０００８】
以下、この発明の実施例を図１ないし図５に示す図面に基づいて説明する。
【実施例１】
【０００９】
図１に示す米袋１は２枚のシートが重ね合わされており、前パネル２に米の銘柄、後パネル３に精米所名等々が印刷されている。重ね合わされた前パネル２と後パネル３のそれぞれの上端部の所定位置に、第一の手提げ孔４と手提げ孔５を刃物で打ち抜いて同時加工する。この手提げ孔４、５は従来の手提げ孔よりも若干大きく形成されるものである。
【００１０】
前パネル２と後パネル３を一旦上下に分離して空間を作り、その間へ第一の手提げ孔４、５を塞ぐ大きさに切断された補強シート６を挿入して下側に配置されている後パネル３の内面に重ねた後、位置ズレを防ぐための仮止めを行う。仮止めの方法は、熱によるポイントシール、接着等々あまり強度を必要としない手段でよい。補強シート６の材質は、手に直接触れても痛さを感じにくいポリエチレンや不織布からなる。
【００１１】
手提げ孔４、５が合致するように前パネル２と後パネル３を再び重ね合わせ、続いて前記前パネル２と後パネル３に加工された手提げ孔４、５よりも一回り小さく形成された第二の手提げ孔７を補強シート６に刃物で打ち抜く。この第二の手提げ孔７の上部周縁７ａは第一の手提げ孔４、５の上部周縁４ａ、５ａから所定距離だけ下方へ離れた内側に位置している。補強シート６における手提げ孔７の上部周縁７ａと前後のパネル２、３における手提げ孔４、５の上部周縁４ａ、５ａとの距離Ｘは、５ｍｍから２０ｍｍぐらいが好ましい。
上記距離Ｘが小さいと、袋１が米の重量で変形したときに前後のパネル２、３における手提げ孔４、５の上部周縁４ａ、５ａが手指の腹に直接当たって痛さを感ずるようになる。                             
【００１２】
次に、前パネル２と後パネル３に形成された第一の手提げ孔４，５の外側において、補強シート６のほぼ全域にわたって直線状又は曲線状に形成された複数列のシール線８を有する熱シールを行う。
【００１３】
前記シール線８は、補強シート６の外形線より内側で、かつ第一の手提げ孔４、５の外側にぴったり形成されるのが望ましいが、距離Ｘが大きければ第一の手提げ孔４、５から第二の手提げ孔７側へ多少はみ出しても良いし、補強シート６の外側へはみ出しても良い。第二の手提げ孔７側へはみ出す場合、米袋を手にぶら下げたときシール線８が
手指に直接当たらないような位置までとすることが必要である。
【００１４】
補強シート６のシールが終わった後、重ね合わされた前パネル２と後パネル３のフィルムの流れ方向の両側縁に直線状の側縁シール９を行い、両側縁を閉塞する。
【００１５】
続いて、フィルムの流れ方向に直角方向に前記手提げ孔４，５，７を挟んで直線状の下口元シール１０と上口元シール１１を行い、袋上部を閉塞する。下口元シール１０と上口元シール１１が行われた袋体は、側縁シール９に沿ってギロチンカッターで一枚ずつカットして単葉の米袋１に仕上げるか、もしくは連続してロール状に巻取る。
単葉の米袋１の場合は、米を充填した後で底シールを行って密封し、ロール状に巻き取られたものでは、米を充填する際にカットして米を充填し、底シールを行って密封する。
【００１６】
米が充填された米袋１において、手提げ孔４、５、７に手指を通してぶら下げると（図５）、補強シート６の手提げ孔７の上部周縁７ａが掌と反対側へほぼＬ字状に折れ曲って、その部分が手指Ｈに当たり、前後のパネル２、３の手提げ孔４、５の上部周縁４ａ、５ａが直接手指Ｈに当たることはない。
【実施例２】
【００１７】
前記補強シート６を前パネル２と後パネル３の間に一体的に融着するためのシールは、直線状又は曲線状に形成された複数列のシール線８（図３）に限定されるものではなく、所定の角度で交差させた格子模様のものでも良いし、図６の米袋２１に示すように第一の手提げ孔２４，２５の外側と補強シート２６の外形線との間を全面的にシールしてベタシール２８としたものでも良い。第二の手提げ孔２７は、第一の手提げ孔２４，２５よりも小さく形成されることは実施例１と同様である。
【００１８】
補強シート６に不織布を採用した場合、不織布には小さな空隙が内在しているので、袋内の空間の米収容部１２（図５）と手提げ孔７との間に下口元シール９を行っても空気は流通可能であり、空気抜きの通路として利用することができる。米袋を平らに積み重ねるとき、袋内に空気が充満していると積み重ねたときに不安定となるが、手提げ孔４、５を通して空気抜きができれば安定した状態で積み重ねることが出来る。
【図面の簡単な説明】
【００１９】
【図１】は、この発明の実施の形態に係る米袋の構成を示す正面図である。
【図２】は、同米袋の前パネルの一部を破断した正面図である。
【図３】は、同米袋の手提げ孔部を拡大した正面図である。
【図４】は、切り離す前の連続した米袋と、単葉に切り離した米袋を示す正面図である。
【図５】は、同米袋に米を充填した使用状態における断面図である。
【図６】は、この発明の手提げ部の第２の実施の形態を示す正面図である。
【図７】は、従来の米袋の斜視図である。
【図８】は、同米袋に米を充填した状態の正面図である
【図９】は、従来の米袋の手提げ部の正面図である。
【符号の説明】
【００２０】
１・・・米袋
２・・・前パネル
３・・・後パネル
４・・・手提げ孔
５・・・手提げ孔
６・・・補強シート
７・・・手提げ孔
８・・・シール線
９・・・側縁シール
１０・・下口元シール
１１・・上口元シール
【図１】
2008308214.tif 000003
【図２】
2008308214.tif 000004
【図３】
2008308214.tif 000005
【図４】
2008308214.tif 000006
【図５】
2008308214.tif 000007
【図６】
2008308214.tif 000008
【図７】
2008308214.tif 000009
【図８】
2008308214.tif 000010
【図９】
2008308214.tif 000011